(57)【要約】【課題】  車両内外の気温状態を容易に確認できる車両用表示装置を提供する。【解決手段】  車両情報を表示する表示手段２と、表示手段２に車両外気温または車両内気温の情報が表示されるように制御する制御手段１と、を備えた車両用表示装置であって、制御手段１は、表示手段２に車両シンボル（車両を示す意匠）２１を表示させるとともに、車両シンボル２１の内部領域２３に前記車両内温度情報を示し、車両シンボル２１の外部領域２４に前記車両外温度情報を示すように表示手段２を制御する。【選択図】  図１
2011021919.tif 000002
【特許請求の範囲】
【請求項１】
車両情報を表示する表示手段と、
前記表示手段に車両外気温または車両内気温の情報が表示されるように制御する制御手段と、を備えた車両用表示装置であって、
前記制御手段は、前記表示手段に車両を示す意匠を表示させるとともに、
前記意匠の内部領域に前記車両内温度情報を示し、前記意匠の外部領域に前記車両外温度情報を示すように前記表示手段を制御することを特徴とする車両用表示装置。
【請求項２】
前記制御手段は、前記車両外気温情報または前記車両内気温情報として、各温度を色の階調に対応させて表現してなることを特徴とする請求項１に記載の車両用表示装置。
【発明の詳細な説明】
【技術分野】
【０００１】
本発明は、車両情報を表示する表示手段と、前記表示手段に車両外気温または車両内気温の情報が表示されるように制御する制御手段と、を備えた車両用表示装置に関する。
【背景技術】
【０００２】
車両に空気調和器を備えたものが一般的であり、車両内の温度を利用者にとって快適に調整できる。
【０００３】
また、設定された温度や実際の測定温度などを表示する車両用表示装置があり、例えば、特許文献１に開示されている。
【先行技術文献】
【特許文献】
【０００４】
【特許文献１】特開２００２−２６２２９８号公報
【発明の概要】
【発明が解決しようとする課題】
【０００５】
しかしながら、これらの車両用表示装置としては、車両外気温と車両内気温の差が大きい状態で車内に長時間いたことが原因で、降車時に急激な温度変化によって不快に感じたり、体にストレスを与えてしまうという問題があった。
【０００６】
そこで本発明の目的とするところは、上述した課題に着目してなされたものであって、車両内外の気温状態を容易に確認できる車両用表示装置を提供することにある。
【課題を解決するための手段】
【０００７】
本発明の車両用表示装置は、車両情報を表示する表示手段と、前記表示手段に車両外気温または車両内気温の情報が表示されるように制御する制御手段と、を備えた車両用表示装置であって、前記制御手段は、前記表示手段に車両を示す意匠を表示させるとともに、前記意匠の内部領域に前記車両内温度情報を示し、前記意匠の外部領域に前記車両外温度情報を示すように前記表示手段を制御することを特徴とする。
【０００８】
また、前記制御手段は、前記車両外気温情報または前記車両内気温情報として、各温度を色の階調に対応させて表現してなることを特徴とする。
【発明の効果】
【０００９】
本発明は、車両情報を表示する表示手段と、前記表示手段に車両外気温または車両内気温の情報が表示されるように制御する制御手段と、を備えた車両用表示装置に関し、車両内外の気温状態を容易に確認できる車両用表示装置を提供することにある。
【図面の簡単な説明】
【００１０】
【図１】本発明の実施の形態の車両用表示装置の構成を示す図。
【図２】同上実施の形態の表示手段の表示例を示す図。
【発明を実施するための形態】
【００１１】
以下、本発明の実施の形態として、本発明の車両用表示装置について、添付図面を用いて説明する。
【００１２】
図１は、車両の内外気温を表示する車両用表示装置の構成を示す図であり、制御手段１と、表示手段２とを備えている。
【００１３】
制御手段１は、マイクロコンピュータを適用でき、車両に設けられる温度センサからの出力信号に基づく温度情報を入力するとともに、これら温度情報などの情報を格納するための記憶部と、入力される情報や所定のプロクラムに基づいて演算処理する演算部及び入出力インターフェース等を有する。なお、この場合、温度センサは、複数用意され、車内気温として車両室内のインストルメントパネル近傍に設けられ、車外気温としてフロントバンパ近傍に設けられ、車両内温度情報、車両外温度情報として制御手段１へ出力している。
【００１４】
また、制御手段１は、表示手段２を駆動するための駆動ドライバを含み、制御手段１によって生成された描画データに基づいて表示手段２の表示出力を制御することができる。
【００１５】
表示手段２は、例えば、画像表示可能な液晶表示パネルを適用でき、制御手段１からの制御信号に基づいて表示出力を行うものである。この場合、表示手段２は、車両用計器の積算走行距離や外気温度等の計測値や各種設定値などの情報を画面切り換えして表示できるように構成されている。
【００１６】
次に、図２を用いて表示手段２による表示例について説明する。
【００１７】
表示手段２は、車両の外形を簡略して表示する車両シンボル（車両を示す意匠）２１と、表示温度分布図２２と、を表示可能にしている。制御手段１は、表示手段２によって示される車両シンボル２１の内部領域２３において車両内温度情報として、表示温度分布図２２に対応する色の階調で表現し、車両外温度情報として、車両シンボル２１の外部領域２４を表示温度分布図２２で示す色の階調に対応させて表現している。
【００１８】
なお、表示温度分布図２２は、摂氏プラス５０度から摂氏マイナス３０度まで表現できるように予め所定温度帯毎に区分され、各所定温度帯に色を対応させており、この場合、真中の摂氏プラス１０度を白色とし、高温になるにつれて暗い暖色（例えば、赤色）に、低温になるにつれて暗い寒色（例えば、青色）になるように設定している。なお、寒暖色を用いて表現するのではなく、色のトーンを変化させて階調に当てはめればよく、色の彩度、または明度、あるいは、サーモグラフィで用いられるような色分布にて設定することもできる。
【００１９】
以上の構成によって、表示手段２に示す車両シンボル２２の内部領域２３に車両内温度情報を、外部領域２４に車両外温度情報を示すことで、利用者にとって感覚的に温度を判断することができ、また、車両内外気温の差を色の階調の差（この場合、色の明暗差）から読み取ることができる。
【００２０】
斯かる車両表示装置は、車両情報を表示する表示手段２と、表示手段２に車両外気温または車両内気温の情報が表示されるように制御する制御手段１と、を備えた車両用表示装置であって、制御手段１は、表示手段２に車両シンボル（車両を示す意匠）２１を表示させるとともに、車両シンボル２１の内部領域２３に前記車両内温度情報を示し、車両シンボル２１の外部領域２４に前記車両外温度情報を示すように表示手段２を制御することによって、車両内外の気温状態を容易に確認できる。
【００２１】
また、制御手段１は、前記車両外気温情報または前記車両内気温情報として、各温度を色の階調に対応させて表現してなることによって、感覚的に温度を表現できるため、例えば、数値で温度を表現したものに比べて、短時間で確認できるため判読性が良好となる。また、温度変化に応じて、著しく表示が変化しないため、利用者に対して不必要に注目させることがなく、表示に対する煩わしさを低減することができる。
【００２２】
なお、上述した実施の形態では、車両内外の気温について表示する車両用表示装置を示したが、車両内外の湿度について置き換えて表現することも考えられる。また、上述した実施の形態では、温度を色の階調にて表現する車両用表示装置を示したが、輝度やテクスチャパターンの濃淡（粗密）など、単色で表現することも考えられる。
【００２３】
また、本発明の車両用表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。
【産業上の利用可能性】
【００２４】
本発明は、例えば、自動車、あるいは農業機械や建設機械を備えた移動体に搭載される車両用表示装置として適用できる。
【符号の説明】
【００２５】
１    制御手段
２    表示手段
２２  車両シンボル（車両を示す意匠）
２３  内部領域
２４  外部領域
【図１】
2011021919.tif 000003
【図２】
2011021919.tif 000004